(57)【要約】【課題】  低コストで施工でき、充分な防水対策を施した床下収納空間及びその施工方法を提案する。【解決手段】  地盤強化体１１で周囲側方を囲まれ、住宅の床下から地下にかけて形成された床下収納空間１０であって、地盤強化体１１の外側面に沿って第一の遮水膜２０が配置され、地盤強化体１１の内側面に沿って第二の遮水膜３０が配置されている。第一の遮水膜２０と前記第二の遮水膜２０との間には、地盤強化体１１に浸入した水を下方地盤に逃がすための水抜穴ｈを備えている。第一の遮水膜２０は、地盤強化体１１を外側から内側に横断し、さらに該地盤強化体１１の内側面に沿って第二の遮水膜３０とともに立ち上がる。第一の遮水膜２０の横断部は内側から外側に向かって徐々に低くなっている。第一の防水シート２０の上端及び第二の防水シート３０の上端は地盤高さＧＬよりも上に位置する。【選択図】      図２
2005188103.tif 000002
【特許請求の範囲】
【請求項１】
地盤強化体で周囲側方を囲まれ、住宅の床下から地下にかけて形成された床下収納空間であって、
前記地盤強化体の外側面に沿って第一の遮水膜が配置され、
前記地盤強化体の内側面に沿って第二の遮水膜が配置されている、
ことを特徴とする床下収納空間。
【請求項２】
前記第一の遮水膜と前記第二の遮水膜との間に、前記地盤強化体に浸入した水を下方地盤に逃がすための水抜穴を備える、
ことを特徴とする請求項１に記載の床下収納空間。
【請求項３】
前記第一の遮水膜が、所定高さで前記地盤強化体を外側から内側に横断し、さらに該地盤強化体の内側面に沿って前記第二の遮水膜とともに立ち上がるように配置されている、
ことを特徴とする請求項１又は請求項２に記載の床下収納空間。
【請求項４】
前記第一の遮水膜の横断部が、内側から外側に向かって徐々に低くなっている、
ことを特徴とする請求項３に記載の床下収納空間。
【請求項５】
前記第一の遮水膜の横断部の上面及び下面の少なくとも一方に養生マットが重ねて配置されている、
ことを特徴とする請求項３又は請求項４に記載の床下収納空間。
【請求項６】
前記第二の遮水膜は、該第二の遮水膜で周囲側方を囲まれた空間の下方にも配置されるように延出しており、この第二の遮水膜の底面部の上面及び下面の少なくとも一方に養生マットが重ねて配置されている、
ことを特徴とする請求項１乃至請求項５のいずれか一項に記載の床下収納空間。
【請求項７】
前記第一の遮水膜の上端及び前記第二の遮水膜の上端が地盤高さよりも上に位置する、
ことを特徴とする請求項１乃至請求項６のいずれか一項に記載の床下収納空間。
【請求項８】
地盤を掘削する第一工程と、
前記第一工程で形成された掘削空間の内周側面に沿って第一の遮水膜を配置する第二工程と、
前記第一の遮水膜の内側に平面視連続環状に地盤強化体を形成する第三工程と、
第三工程と同時に又は第三工程の後に、前記地盤強化体の内側面に沿って第二の遮水膜を配置する第四工程と、
を備えることを特徴とする床下収納空間の施工方法。
【請求項９】
地盤を平面視連続環状に掘削して溝孔を形成する第一工程と、
前記溝孔の外側溝壁に沿って第一の遮水膜を配置する第二工程と、
前記溝孔内に地盤強化体を形成する第三工程と、
前記地盤強化体で周囲側方を囲まれた領域の地盤を掘削する第四工程と、
露出した前記地盤強化体の内側面に沿って第二の遮水膜を配置する第五工程と、
を備えることを特徴とする床下収納空間の施工方法。
【請求項１０】
地盤を平面視断続環状に掘削して第一の溝孔群を形成する第一工程と、
前記第一の溝孔群の各溝孔の外側溝壁に沿って第一の遮水膜を配置する第二工程と、
前記各溝孔内に地盤強化体を形成する第三工程と、
前記第一の溝孔群の各溝孔間の地盤を掘削して第二の溝孔群を形成する第四工程と、
前記第二の溝孔群の各溝孔の外側溝壁に沿って第一の遮水膜を配置する第五工程と、
前記第二の溝孔群の各溝孔内に地盤強化体を形成する第六工程と、
前記第三工程及び前記第六工程で形成された地盤強化体で周囲側方を囲まれた領域の地盤を掘削する第七工程と、
露出した前記地盤強化体の内側面に第二の遮水膜を配置する第八工程と、
を備えることを特徴とする床下収納空間の施工方法。
【発明の詳細な説明】
【技術分野】
【０００１】
本発明は、住宅の床下から地下にかけて形成される床下収納空間及びその施工方法に関し、特に、低コストで防水性能の高い床下収納空間及びその施工方法に関する。
【背景技術】
【０００２】
都市部の住宅では、収納率が不足しがちであるため、小屋裏や中間階（中二階や、一階の天井と二階の床との間）を利用した収納スペースが形成されることが多い。ところが、このような小屋裏や中間階を利用した収納スペースは住宅の上部に位置するので、特に重量物の出し入れが大変であり、また、火災や地震等の災害時に収納物の焼失、損壊等の被害を受けやすいという欠点がある。
【０００３】
一方、地下室は、住宅の下部に位置するので、重い物であっても出し入れが比較的容易で、収納物が焼失、損壊しにくく、さらに温湿度等の収納環境が安定しているという利点があるが、地盤掘削や躯体構築のためのコストが高いという欠点がある。
【０００４】
この点、特許文献１に開示された床下収納室は、掘削形状を工夫して掘削容積をできるだけ小さくしたものであり、比較的低コストで施工可能となっている。
【特許文献１】登録実用新案第３０６９４４１号公報（［０００４］−［００１４］，図３）
【発明の開示】
【発明が解決しようとする課題】
【０００５】
しかしながら、特許文献１に開示された床下収納室は、躯体構築のために、配筋、型枠建込、コンクリート打設、養生、型枠解体、埋め戻し等の煩雑な工程を経るので、依然としてコストや手間が嵩み、また、防水対策が不充分で漏水のおそれがあるという問題がある。
【０００６】
本発明は、かかる事情に鑑みてなされたものであり、その目的とするところは、低コストで施工でき、しかも充分な防水対策が施された床下収納空間及びその施工方法を提案する点にある。
【課題を解決するための手段】
【０００７】
すなわち、請求項１に係る発明は、地盤強化体で周囲側方を囲まれ、住宅の床下から地下にかけて形成された床下収納空間であって、前記地盤強化体の外側面に沿って第一の遮水膜が配置され、前記地盤強化体の内側面に沿って第二の遮水膜が配置されている、ことを特徴とする。
【０００８】
かかる床下収納空間は、周囲側方を取り囲む地盤強化体で土圧に対抗する構造であるので、鉄筋コンクリート等の躯体で土圧に対抗する従来の地下室に比べて、大幅に低いコストで施工可能である。ここで「地盤強化体」とは、地盤自体に手を加えることによりその強度を高めたものの総称であり、具体的には、薬液等によって土壌の置換、固結、補強等を行った「地盤改良体」や、通常よりも径の大きな（１５０ｍｍ程度）玉石や砕石を含んだ「ラップルコンクリート（粗石コンクリート）」等が挙げられる。
また、地盤強化体の外側面の第一の遮水膜と内側面の第二の遮水膜とで二重の防水措置が施されていて、外側に配置された第一の遮水膜が、地下水を早期にブロックして下方へ落とすので、激しい降雨等によって周辺地盤が大量の水を含んだときであっても、床下収納空間内への漏水を確実に防止することができる。また第二の遮水膜は、地盤強化体中の水分あるいはここに浸入した水が床下収納空間内に入ってこないように遮断する防水・防湿機能、地盤強化体から発生する臭い（特にセメント臭）を遮断する防臭機能、地盤強化体が湿潤状態を保持して硬化できるように地盤強化体を乾燥から避ける養生機能を発揮する。なお「遮水膜」は、水の通過を遮断する機能を果たす薄い膜状物の総称であり、防水シートや遮水フィルム等を挙げることができる。
なお、本発明における「基礎」は構造的に布基礎であることを要するが、このような布基礎のベース部分を連続させたいわゆるフルベース基礎も含まれる。
【０００９】
請求項２に係る発明は、請求項１に記載の床下収納空間において、前記第一の遮水膜と前記第二の遮水膜との間に、前記地盤強化体に浸入した水を下方地盤に逃がすための水抜穴を備える、ことを特徴とする。
【００１０】
このように第一の遮水膜と第二の遮水膜との間に水抜穴があれば、仮に第一の遮水膜を通過して地盤強化体に水が浸入してきたとしても、水が地盤強化体の内部を外側から内側へと横断する間に、水が水抜穴から下方の地盤へ抜けてしまうので、床下収納空間内への漏水の可能性を更に小さくすることができる。なお、水抜穴の形状は任意であり、溝形状であってもよい。
【００１１】
請求項３に係る発明は、請求項１又は請求項２に記載の床下収納空間において、前記第一の遮水膜が、所定高さで前記地盤強化体を外側から内側に横断し、さらに該地盤強化体の内側面に沿って前記第二の遮水膜とともに立ち上がるように配置されている、ことを特徴とする。
【００１２】
このように第一の遮水膜を地盤強化体の外側面に沿ってそのまま立ち上げるのではなく、所定高さで地盤強化体を外側から内側に横断して、さらに該地盤強化体の内側面に沿って第二の遮水膜とともに立ち上げるようにすれば、第一の遮水膜が基礎に埋設する複雑な納まりを避けることができる。
なお、このような理由から、第一の遮水膜が地盤強化体を横断する高さは、比較的高い位置（たとえば基礎の底面から３０ｃｍ程度下）であることが望ましい。
【００１３】
請求項４に係る発明は、請求項３に記載の床下収納空間において、前記第一の遮水膜の横断部が、内側から外側に向かって徐々に低くなっている、ことを特徴とする。
【００１４】
このように第一の遮水膜の横断部が内側から外側に向かって徐々に低くなっていれば、横断部に水が溜まらないので、地盤強化体に水が浸入する可能性を更に小さくすることができる。
【００１５】
請求項５に係る発明は、請求項３又は請求項４に記載の床下収納空間において、前記第一の遮水膜の横断部の上面又は下面の少なくとも一方に養生マットが重ねて配置されている、ことを特徴とする。
【００１６】
地盤強化体を外側から内側に横断する第一の遮水膜の横断部には、地盤強化体の自重やその上部構造物の存在等によって上から大きな荷重が作用するが、横断部の上面及び下面の少なくとも一方に養生マットを重ねて配置することにより、該横断部における第一の遮水膜の破損を避けることができる。
【００１７】
請求項６に係る発明は、請求項１乃至請求項５のいずれか一項に記載の床下収納空間において、前記第二の遮水膜は、該第二の遮水膜で周囲側方を囲まれた空間の下方にも配置されるように延出しており、この第二の遮水膜の底面部の上面及び下面の少なくとも一方に養生マットが重ねて配置されている、ことを特徴とする。
【００１８】
このように第二の遮水膜が底面部を形成するように延出し、全体として上に開いた袋形状になっていれば、地下水が下から上に向かって床下収納空間内に浸入してくることを確実に防止することができる。
また、この底面部にも上から大きな荷重が作用するが、底面部の上面及び下面の少なくとも一方に養生マットを重ねて配置することにより、該底面部における第二の遮水膜の破損を避けることができる。
【００１９】
請求項７に係る発明は、請求項１乃至請求項６のいずれか一項に記載の床下収納空間において、前記第一の遮水膜の上端及び前記第二の遮水膜の上端が地盤高さよりも上に位置する、ことを特徴とする。
【００２０】
このように両遮水膜の上端を地盤高さより上に位置させておけば、降雨等によって地盤に浸透した水が遮水膜の上端を乗り越えて床下収納空間内に浸入することを確実に防止できる。
【００２１】
請求項８に係る発明は、地盤を掘削する第一工程と、前記第一工程で形成された掘削空間の内周側面に沿って第一の遮水膜を配置する第二工程と、前記第一の遮水膜の内側に平面視連続環状に地盤強化体を形成する第三工程と、第三工程と同時に又は第三工程の後に、前記地盤強化体の内側面に沿って第二の遮水膜を配置する第四工程と、を備えることを特徴とする床下収納空間の施工方法である。
【００２２】
かかる床下収納空間の施工方法は、地盤を総掘りすることにより掘削を一回で済ませるので、施工が簡易である。また、第一の遮水膜を配置した後で地盤強化体を形成するので、第一の遮水膜を地盤強化体の外側面に留め付ける手間が不要である。
【００２３】
請求項９に係る発明は、地盤を平面視連続環状に掘削して溝孔を形成する第一工程と、前記溝孔の外側溝壁に沿って第一の遮水膜を配置する第二工程と、前記溝孔内に地盤強化体を形成する第三工程と、前記地盤強化体で周囲側方を囲まれた領域の地盤を掘削する第四工程と、露出した前記地盤強化体の内側面に沿って第二の遮水膜を配置する第五工程と、を備えることを特徴とする床下収納空間の施工方法である。
【００２４】
かかる床下収納空間の施工方法によれば、地盤を溝掘りして平面視連続環状に地盤強化体を形成した後でこれに囲まれた領域の地盤を掘削するので、土留をせずとも安全に掘削工事を行うことができる。また、溝孔内に第一の遮水膜を配置した後で溝孔内に地盤強化体を形成するので、第一の遮水膜を地盤強化体の外側面に留め付ける手間が不要である。
【００２５】
請求項１０に係る発明は、地盤を平面視断続環状に掘削して第一の溝孔群を形成する第一工程と、前記第一の溝孔群の各溝孔の外側溝壁に沿って第一の遮水膜を配置する第二工程と、前記各溝孔内に地盤強化体を形成する第三工程と、前記第一の溝孔群の各溝孔間の地盤を掘削して第二の溝孔群を形成する第四工程と、前記第二の溝孔群の各溝孔の外側溝壁に沿って第一の遮水膜を配置する第五工程と、前記第二の溝孔群の各溝孔内に地盤強化体を形成する第六工程と、前記第三工程及び前記第六工程で形成された地盤強化体で周囲側方を囲まれた領域の地盤を掘削する第七工程と、露出した前記地盤強化体の内側面に第二の遮水膜を配置する第八工程と、を備えることを特徴とする床下収納空間の施工方法である。
【００２６】
かかる床下収納空間の施工方法は、請求項９に記載の床下収納空間の施工方法と略同様であるが、地盤強化体を一気に平面視連続環状に形成するのではなく、まず先行して平面視断続環状の地盤強化体を形成し、その後に先行の地盤強化体同士の間をつなげるように平面視断続環状に後続の地盤強化体を形成することにより、先行の地盤強化体と後続の地盤強化体とで平面視連続環状の地盤強化体を形成するので、地盤強化体に囲まれる領域の地盤を掘削中においても有効活用でき、狭小地であっても施工が可能となる。
【発明の効果】
【００２７】
本発明に係る床下収納空間は、周囲側方を取り囲む地盤強化体で土圧に対抗する構造であるので、鉄筋コンクリート等の躯体で土圧に対抗する従来の地下室に比べて、極めて低いコストで施工可能である。また、地盤強化体の外側面の第一の遮水膜と内側面の第二の遮水膜とで二重の防水措置が施されているので、激しい降雨等があっても床下収納空間内への漏水を確実に防止することができる。
また、本発明に係る床下収納空間の施工方法によれば、確実な防水施工が可能となるだけでなく、安全に掘削工事を行うことができ、さらに狭小地であっても施工が可能となる。
【発明を実施するための最良の形態】
【００２８】
以下、添付図面を参照して、本発明の実施の形態を詳細に説明する。なお、説明において、同一要素には同一符号を用い、重複する説明は省略する。
【００２９】
図１は本発明に係る床下収納空間の一実施形態を表す斜視図であり、図２は図１の縦断面図である。これらの図に示すように床下収納空間１０は、地盤Ｇを掘削することにより、住宅の一階の床下から地下にかけての高さ領域と、周囲側方を地盤強化体１１で囲まれた平面領域に形成されている。地盤強化体１１は、平面視連続環状に形成された壁状体であり、望ましくは少なくとも一部が住宅の基礎Ｂの下方に位置し、基礎Ｂを下から支持するものである。地盤強化体１１は、地盤Ｇ自体に手を加えることによりその強度を高めたものであり、具体的には、薬液等によって土壌の置換、固結、補強等を行った地盤改良体や、通常よりも径の大きな玉石や砕石を含んだラップルコンクリート（粗石コンクリート）等である。このように床下収納空間１０は、地盤強化体１１で土圧や鉛直荷重に対抗する構造であるので、ＲＣ躯体で構築される地下室に比べて極めて低いコストで施工可能である。なお、床下収納空間１０は、基礎Ｂの真下の地盤強化体１１の下端辺（図２における点Ｐ１）から地盤Ｇのせん断抵抗角φで延びるせん断面Ｓの上方に位置するように形成されているので、掘削中に掘削面が崩壊したり完成後に基礎Ｂが沈下したりすることがなく、構造的に安定している。
【００３０】
床下収納空間１０は、床面１２、壁面１３、天井面１４、排水ピット１５、展示台１６、梯子１７等を備えている。
床面１２は、ここでは地盤強化体１１’の上にモルタルで仕上を施して形成されている。床面１２の略中央部には排水ピット１５が形成されており、この排水ピット１５には蓋１５ａが被せられている。蓋１５ａは着脱自在であり、その上面は床面１２と同一高さとなっている。
壁面１３は地盤強化体１１の内側面や基礎Ｂの内側面に適宜の仕上を施したものである。仕上としては、化粧パネル貼りやモルタル塗り、メッシュシート貼り等が好適である。
天井面１４は、住宅の一階の床躯体Ｆの下面に適宜の仕上（ここでは防水石膏ボード）を施したものである。床躯体Ｆには、住宅の一階から床下収納空間１０内に出入りするための開閉自在な出入口Ｆａが形成されている。床面１２から天井面１４までの高さは１４００ｍｍ以内であることが望ましく、蓋１５ａを取り外した排水ピット１５の底面から天井面１４までの高さは１７００ｍｍ程度であることが望ましい。
展示台１６は、その上に様々な物を展示、陳列するための台であって、地盤改良体やコンクリート、ＣＢ等を用いて、床面１２と壁面１３とが交差する入隅部に沿って高さ３００ｍｍ程度奥行４５０ｍｍ程度に形成されている。
梯子１７は出入口Ｆａと床面１２とを結ぶように取り外し自在に設置されている。
【００３１】
また、地盤強化体１１の外側面、内側面にはそれぞれ第一の遮水膜２０、第二の遮水膜３０が配置されている。
第一の遮水膜２０は、下端辺が地盤強化体１１の内側下端辺Ｐ２よりもやや外側に位置し、地盤強化体１１の下面に沿って外側下端辺Ｐ３に至り、そこから地盤強化体１１の外側面に沿って立ち上がり、途中の高さ位置Ｐ４で外側から内側に向かって略水平に（水勾配を考慮して内側から外側に向かって徐々に低くなるように）地盤強化体１１を厚さ方向に横断して高さ位置Ｐ５に至り、さらに地盤強化体１１の内側面に沿って立ち上がって、上端辺が地盤高さＧＬよりも上で基礎Ｂ等に固定されている。
第二の遮水膜３０は、中央部が排水ピット１５の下方で地盤強化体１１’内部を横断し、周辺部が地盤強化体１１の内側面に沿って立ち上がっており、上方では第一の遮水膜２０の内側面に重なり合って、上端辺が第一の遮水膜２０とともに地盤高さＧＬよりも上で基礎Ｂ等に固定されている。
なお、第一の遮水膜２０の下端辺と地盤強化体１１の内側下端辺Ｐ２との間には遮水膜がなく、水抜穴ｈとなっている。このため、仮に第一の遮水膜２０を通過して地盤強化体１１に水が浸入してきたとしても、水は地盤強化体１１の内部を外側から内側へと横断する間にこの水抜穴ｈから下方の地盤へ抜けてしまうようになっている。
【００３２】
このように第一の遮水膜２０、第二の遮水膜３０による二重の防水措置を施すことにより、周囲の地盤Ｇ中の水は、基本的に実線矢印で示すように、外側に配置された第一の遮水膜で早期にブロックされてその外側面に沿って下方に流れていき、万一外側の第一の遮水膜２０が破れて地盤Ｇ中の水が側方から地盤強化体１１中に浸入してきたとしても、その水は点線矢印で示すように、地盤強化体１１の内側面に沿って配置されている第二の遮水膜３０に阻まれて、水抜穴ｈから下方の地盤Ｇ中に抜けるようになっているから、床下収納空間１０内へは入ってこない。特に、床下収納空間１０が住宅の外周面に近い位置に形成されている場合には、激しい降雨等によって床下収納空間１０の周囲の地盤Ｇ中の水位が一時的にかなり高くなることがあるが、そのような場合であっても外側の第一の遮水膜２０と内側の第二の遮水膜３０とで、床下収納空間１０内への漏水を確実に防止することができる。
【００３３】
また仮に、第一の遮水膜２０の上部を地盤強化体１１の外側面に沿ってそのまま立ち上げ、基礎Ｂに埋設させようとすると、基礎Ｂ中の鉄筋が第一の遮水膜２０を貫通する納まりとなって、施工が極めて煩雑で、防水性能も低下する。しかし、ここでは地盤強化体１１の外側面に沿って立ち上がる第一の遮水膜２０を、所定高さＰ４〜Ｐ５で外側から内側に地盤強化体１１を横断させ、さらに該地盤強化体１１の内側面に沿って第二の遮水膜３０とともに立ち上げたので、第一の遮水膜２０の納め方を単純にすることができ、防水性能を損なうおそれもない。
なお、第一の遮水膜２０の横断部（Ｐ４からＰ５に至る部分）２１は、内側から外側に向かって徐々に低くなっているので、この上部に水が溜まってしまうことはない。
【００３４】
また仮に、第一の遮水膜２０の上端及び第二の遮水膜３０の上端が地盤高さＧＬよりも低ければ、降雨等による水がここを乗り越えて床下収納空間１０内に浸入するおそれがあるが、ここでは第一の遮水膜２０の上端及び第二の遮水膜３０の上端を地盤高さＧＬよりも高い位置で固定してあるので、このようなおそれはない。
【００３５】
さらに、第一の遮水膜２０の横断部２１の上面には、ゴムや樹脂等からなる養生マット２２が重ねて配置してある。これは、第一の遮水膜２０の横断部２１に地盤強化体１１が接したまま上から大きな荷重が作用することによって第一の遮水膜２０の横断部２１が破損してしまうことを防止するためである。同様の理由により、第二の遮水膜３０の底面部（床面１２の下方）３１の上面にも、同様の養生マット３２が重ねて配置してある。
なお、ここでは養生マット２２，３２をそれぞれ横断部２１、底面部３１の上面に重ねて配置したが、それぞれ横断部２１や底面部３１の下面に重ねて配置してもよいし、横断部２１や底面部３１の上下両面に重ねて配置してもよい。
【００３６】
続いて、本発明に係る床下収納空間の施工方法について説明する。
本発明に係る床下収納空間の施工方法の第一実施形態は、図３〜図５に示すように、地盤を総掘りして掘削を一回で済ませる点が特徴的である。
【００３７】
まず第一工程では、図３（ａ）に示すように、地盤Ｇを掘削して掘削空間Ｘを形成する。具体的には、住宅の基礎Ｂとなる予定位置の下方の平面視環状の地盤ｇ１を掘削することにより掘削空間ｘ１を形成するとともに、地盤ｇ１に周囲側方を囲まれた地盤ｇ２を掘削することにより掘削空間ｘ２を形成する。つまり、床下収納空間１０が形成される地盤部分とこれを取り囲む地盤強化体１１が形成される地盤部分とを総掘りして、掘削空間Ｘを形成する。このとき必要があれば、適宜の土留めを行う。なお、溝状の掘削空間ｘ３は、排水ピット１５の周囲においても地盤強化体１１’の断面を等しく確保するためのものである。
【００３８】
第二工程では、図３（ｂ）に示すように、第一工程で形成された掘削空間Ｘの内周側面Ｘａに沿って第一の遮水膜２０を配置する。なお、ここでは、第一の遮水膜２０の底部を、掘削空間Ｘの底面の外周部（地盤強化体１１が形成される予定位置である掘削空間ｘ１の下面）に敷いておく。このとき第一の遮水膜２０の端辺部は、掘削空間ｘ１と掘削空間ｘ２の境界面の下辺Ｐ２よりも外寄りに配置しておく。また、第一の遮水膜２０の上端部は、掘削空間Ｘ外へ持ち出して保持しておく。
また、溝状の掘削空間ｘ３に地盤強化体１１ａ’を充填形成することにより、掘削空間Ｘの底面を平坦化し、その上に第二の遮水膜３０を敷き込む。この第二の遮水膜３０の掘削空間Ｘの底面に敷き込まれた部分は底面部３１となる。底面部３１の上には、養生マット３２を敷き込む。第二の遮水膜３０の周辺部は、地盤強化体１１を形成するのに邪魔にならない位置に立ち上げて保持しておく。
【００３９】
第三工程では、図３（ｃ），図４（ａ）〜（ｃ），図５（ａ）に示すように、基礎Ｂとなる予定位置の下方であって第一の遮水膜２０の内側（掘削空間ｘ１）に平面視連続環状に地盤強化体１１を形成する。また、第四工程では、地盤強化体１１の内側面に沿って第二の遮水膜３０を配置する。
つまり、図３（ｃ）に示すように、まず第一の遮水膜２０の内側の掘削空間ｘ１に所定高さの地盤強化体１１ａを転圧形成する。また、第二の遮水膜３０の底面部３１上に敷き込んだ養生マット３２の上に、適宜の厚さで地盤強化体１１ｂ’を形成する。地盤強化体１１ｂ’には排水ピット１５を形成する。
次に、図４（ａ）に示すように、掘削空間ｘ１，ｘ２を仕切るように地盤強化体１１ｂ’の上に、型枠Ｋを建て込む。第二の遮水膜３０の周辺部は、型枠Ｋの外側面（掘削空間ｘ１側の面）に沿って配置する。
さらに、図４（ｂ）に示すように、掘削空間ｘ１内に所定高さで地盤強化体１１ｂを積層し転圧形成する。なお、地盤強化体１１ｂの上面は、内側から外側に向かって（第二の遮水膜３０側から第一の遮水膜２０側に向かって）緩やかに低くすることが望ましい。
そして、図４（ｃ）に示すように、第一の遮水膜２０を内側に倒して地盤強化体１１ｂの上面に横断部２１として敷き込み、さらに第二の遮水膜３０の外側面に重ねて立ち上げる。また、第一の遮水膜２０の横断部２１の上に養生マット２２を敷き込む。
さらに、図５（ａ）に示すように、第一の遮水膜２０の横断部２１の上の養生マット２２の上に積層するように、掘削空間ｘ１に所定高さで地盤強化体１１ｃを形成する。
以上のようにして、基礎Ｂとなる予定位置の下方であって第一の遮水膜２０の内側（掘削空間ｘ１）に平面視連続環状に地盤強化体１１を形成すると同時に、地盤強化体１１の内側面に沿って第二の遮水膜３０を配置する。
【００４０】
最後に、図５（ｂ）に示すように、地盤強化体１１ｃの上に基礎Ｂを構築する。第一の遮水膜２０、第二の遮水膜３０は、基礎Ｂと型枠Ｋとの間で立ち上げ、これらの上端は地盤高さＧＬよりも上の位置で基礎Ｂ等に留め付ける。そして、図５（ｃ）に示すように、型枠Ｋを解体して、図示しない一階の床躯体Ｆを構築するとともに、展示台１６を形成し、掘削空間ｘ２の内周面にモルタル、化粧ボード、メッシュシート等を用いて仕上を施して床面１２、壁面１３、天井面１４等を形成することにより、床下収納空間１０を完成させる。
【００４１】
かかる床下収納空間の施工方法によれば、掘削が一回で済むので、施工が簡易である。また、第一の遮水膜２０を掘削空間Ｘの内周側面Ｘａに配置した後で地盤強化体１１を形成するので、第一の遮水膜２０を地盤強化体１１の外側面に留め付ける手間が不要である。
なお、ここでは、第三工程と第四工程を並行して行ったが、第四工程を第三工程の後に行うようにしてもよい。
【００４２】
次に、本発明に係る床下収納空間の施工方法の第二実施形態を説明する。
本実施形態の施工方法は、第一実施形態と略同様であるが、浮き型枠を使用する点のみにおいて異なる。
つまりまず、第一実施形態と同様、図３（ａ）に示すように地盤Ｘを総掘りした後、図３（ｂ）に示すように第一の遮水膜２０、第二の遮水膜３０を配置する。
次に、図６（ａ）に示すように、掘削空間ｘ１，ｘ２を仕切るように、浮き型枠Ｋ’を建て込む。浮き型枠Ｋ’は、堰板Ｋ１と、この堰板Ｋ１を所定高さに保持する保持部Ｋ２とからなる。保持部Ｋ２はターンバックル等で上下に高さ調節可能な構造である。
そして、図６（ｂ）に示すように、第一の遮水膜２０の内側の掘削空間ｘ１に所定高さの地盤強化体１１ａを転圧形成する。また、第二の遮水膜３０の底面部３１上に敷き込んだ養生マット３２の上に、適宜の厚さで地盤強化体１１ｂ’を形成する。地盤強化体１１ｂ’には排水ピット１５を形成する。浮き型枠Ｋ’の保持部Ｋ２は埋め殺しとする。
その後は第一実施形態と同様、図４（ｂ），（ｃ），図５（ａ），（ｂ），（ｃ）に示した工程を行う。
このように浮き型枠Ｋ’を使用すれば、地盤強化体の形成の手間が軽減される。
【００４３】
次に、本発明に係る床下収納空間の施工方法の第三実施形態を説明する。図７（ａ）において、基礎Ｂとなる予定位置の下方の地盤部分をｇ１、当該地盤部分に周囲側方を囲まれ、床下収納空間１０の主要部となる予定位置の地盤部分をｇ２としたとき、地盤部分ｇ１と地盤部分ｇ２を総掘りするのが第一実施形態及び第二実施形態の特徴であったが、第三実施形態では、地盤部分ｇ１を掘削（溝掘り）して、そこに地盤強化体１１を形成した後に、地盤部分ｇ２を掘削することが特徴的である。
【００４４】
まず第一工程では、図８（ａ）に示すように、住宅の基礎Ｂとなる予定位置の下方の地盤を平面視連続環状に掘削（溝掘り）して溝孔ｘ１を形成する。このとき必要があれば、適宜の土留めを行う。地盤部分ｇ２は掘削しない。
【００４５】
第二工程では、図８（ｂ）に示すように、溝孔ｘ１の外側溝壁ｘ１ａに沿って第一の遮水膜２０を配置する。なお、ここでは、第一の遮水膜２０の底部を、溝孔ｘ１の底面（地盤強化体１１が形成される予定位置の下面）に敷いておく。このとき第一の遮水膜２０の端辺部は、溝孔ｘ１の内側下辺Ｐ２よりも外寄りに配置しておく。また、第一の遮水膜２０の上端部は、溝孔ｘ１外へ持ち出して保持しておく。
【００４６】
第三工程では、図８（ｃ），図９（ａ），（ｂ）に示すように、溝孔ｘ１内に地盤強化体１１を形成する。
つまり、図８（ｃ）に示すように、まず溝孔ｘ１内に所定高さで地盤強化体１１ａを積層し転圧形成する。なお、地盤強化体１１ａの上面は、内側から外側に向かって緩やかに低くすることが望ましい。
次に、図９（ａ）に示すように、第一の遮水膜２０を内側に倒して地盤強化体１１ａの上面に横断部２１として敷き込み、さらに溝孔ｘ１の内側溝壁ｘ１ｂに沿って立ち上げる。
そして、図９（ｂ）に示すように、第一の遮水膜２０の横断部２１の上に養生マット２２を敷き込み、さらにその上に積層するように、溝孔ｘ１に所定高さで地盤強化体１１ｂを転圧形成する。
以上のようにして、溝孔ｘ１内に地盤強化体１１を形成する。
【００４７】
第四工程では、図９（ｃ）に示すように、地盤強化体１１で周囲側方を囲まれた領域の地盤部分ｇ２を掘削して、掘削空間ｘ２を形成する。このとき、既に周囲側方に地盤強化体１１が形成されているので、土留は不要である。また、排水ピット１５を形成するための溝を地盤部分ｇ２の底面に形成し、そこに地盤強化体１１ａ’を充填形成することにより、掘削空間ｘ２の底面を平坦化する。
【００４８】
最後の第五工程では、図１０（ａ）に示すように、第四工程で露出した地盤強化体１１の内側面に沿って第二の遮水膜３０を配置する。具体的には、第二の遮水膜３０の底面部３１を掘削空間ｘ２の底面上に敷き込むとともに、第二の遮水膜３０の周辺部を地盤強化体１１の内側面に沿って立ち上げ、留め付ける。そして、底面部３１の上には、養生マット３２を敷き込む。
【００４９】
その後、図１０（ｂ）に示すように、第二の遮水膜３０の底面部３１上に敷き込んだ養生マット３２の上に、適宜の厚さで地盤強化体１１ｂ’を形成する。地盤強化体１１’には排水ピット１５を形成する。さらに図１０（ｃ）に示すように、地盤強化体１１の上に基礎Ｂを構築し、図示しない一階の床躯体Ｆを構築するとともに、展示台１６を形成し、掘削空間ｘ２の内周面にモルタル、化粧ボード、メッシュシート等を用いて仕上を施して床面１２、壁面１３、天井面１４等を形成することにより、床下収納空間１０を完成させる。第一の遮水膜２０、第二の遮水膜３０の上端は地盤高さＧＬよりも上の位置で基礎Ｂ等に留め付ける。
【００５０】
かかる床下収納空間の施工方法によれば、地盤を溝掘りして平面視連続環状に地盤強化体１１を形成した後でこれに囲まれた領域の地盤部分ｇ２を掘削するので、土留をせずとも安全に地盤部分ｇ２の掘削工事を行うことができる。また、溝孔ｘ１内に第一の遮水膜２０を配置した後で溝孔ｘ１内に地盤強化体１１を形成するので、第一の遮水膜２０を地盤強化体１１の外側面に留め付ける手間が不要である。
【００５１】
最後に、本発明に係る床下収納空間の施工方法の第四実施形態を説明する。第三実施形態は、図７（ａ）に示したように、基礎Ｂとなる予定位置の下方の地盤部分ｇ１を掘削（溝掘り）して、そこに地盤強化体１１を形成した後に、地盤強化体１１に周囲側方を囲まれ、床下収納空間１０の主要部となる予定位置の地盤部分ｇ２を掘削することが特徴的であったが、第四実施形態は、図７（ｂ）に示すように、地盤部分ｇ１を周方向に互い違いに第一の溝孔群ｇ１１、第二の溝孔群ｇ１２に分け、まず第一の溝孔群ｇ１１だけを先行して掘削（壺掘り）してそこに地盤強化体１１を形成し、その後、第二の溝孔群ｇ１２を掘削（壺掘り）してそこに地盤強化体１１を形成し、その後に、第一の溝孔群ｇ１１と第二の溝孔群ｇ１２とに周囲側方を囲まれた地盤部分ｇ２を掘削する点のみにおいて第三実施形態と異なる。
【００５２】
つまり、まず第一の溝孔群ｇ１１について図８（ａ）〜図９（ｂ）の工程を行い、次に第二の溝孔群ｇ１２について同じく図８（ａ）〜図９（ｂ）の工程を行い、その後、図９（ｃ）以降の工程を行うというものである。このように、まず先行して平面視断続環状の地盤強化体を形成し、その後に先行の地盤強化体同士の間をつなげるように平面視断続環状に後続の地盤強化体を形成することにより、先行の地盤強化体と後続の地盤強化体とで平面視連続環状の地盤強化体を形成するので、地盤強化体に囲まれる領域の地盤部分ｇ２を掘削中においても有効活用でき、狭小地であっても施工が可能となる。
【００５３】
以上、本発明に係る床下収納空間及びその施工方法の実施形態について説明してきたが、本発明はこれらに限定されるものではなく、発明の趣旨に沿う適宜の変更実施が可能であることは言うまでもない。たとえば、第一の遮水膜２０や第二の遮水膜３０は、複数本の帯状の遮水フィルム等を互いに重ね合わせながら地盤強化体１１の側面に沿って配置するようにしてもよいが、上部が開口された有底の袋状の一枚物で形成された遮水フィルム等を用いることもできる。この場合、第一の遮水膜の一部に穴をあけてこれを水抜穴ｈとすることが望ましい。
【図面の簡単な説明】
【００５４】
【図１】本発明に係る床下収納空間の一実施形態を表す斜視図である。
【図２】図１の縦断面図である。
【図３】本発明に係る床下収納空間の施工方法の第一実施形態を表す断面図である。
【図４】図３に続く工程を表す断面図である。
【図５】図４に続く工程を表す断面図である。
【図６】本発明に係る床下収納空間の施工方法の第二実施形態を表す断面図である。
【図７】（ａ），（ｂ）はそれぞれ、本発明に係る床下収納空間の施工方法の第三実施形態、第四実施形態を表す模式図である。
【図８】本発明に係る床下収納空間の施工方法の第三実施形態を表す断面図である。
【図９】図８に続く工程を表す断面図である。
【図１０】図９に続く工程を表す断面図である。
【符号の説明】
【００５５】
１０    床下収納空間
１１    地盤強化体
１２    床面
１３    壁面
１４    天井面
１５    排水ピット
１６    展示台
２０    第一の遮水膜
３０    第二の遮水膜
【図１】
2005188103.tif 000003
【図２】
2005188103.tif 000004
【図３】
2005188103.tif 000005
【図４】
2005188103.tif 000006
【図５】
2005188103.tif 000007
【図６】
2005188103.tif 000008
【図７】
2005188103.tif 000009
【図８】
2005188103.tif 000010
【図９】
2005188103.tif 000011
【図１０】
2005188103.tif 000012